(57)【特許請求の範囲】
【請求項１】
互いに異なる通話方式による受話信号を増幅し、その増幅した受話信号を受話音声として出力する音声出力装置であって、
ユーザがユーザ設定量を設定するための設定手段と、
一の通話方式による受話信号を少なくとも前記ユーザ設定量に基づいた利得にしたがって増幅すると共に、他の通話方式による受話信号を少なくとも前記ユーザ設定量とオフセット量とに基づいた利得にしたがって増幅する増幅手段と、
一の通話方式による通話を完了した直後に設定されているユーザ設定量を記憶する記憶手段と、
少なくとも他の通話方式による通話を開始した以降に、前記記憶手段が記憶しているユーザ設定量と、他の通話方式で通話しているときに設定されたユーザ設定量とを比較し、その比較結果に基づいて前記オフセット量を調整するオフセット量調整手段とを備えたことを特徴とする音声出力装置。
【請求項２】
請求項１記載の音声出力装置において、
前記オフセット量調整手段は、他の通話方式による通話を完了した直後に、前記記憶手段が記憶しているユーザ設定量と、他の通話方式による通話を完了した直後に設定されているユーザ設定量とを比較し、その比較結果に基づいて前記オフセット量を調整することを特徴とする音声出力装置。
【請求項３】
ユーザがユーザ設定量を設定するための設定手段と、
一の通話方式による受話信号を少なくとも前記ユーザ設定量に基づいた利得にしたがって増幅すると共に、他の通話方式による受話信号を少なくとも前記ユーザ設定量とオフセット量とに基づいた利得にしたがって増幅する増幅手段とを備えた音声出力装置に、
一の通話方式による通話を完了した直後に設定されているユーザ設定量を記憶させる第１の手順と、
少なくとも他の通話方式による通話を開始した以降に、前記第１の手順にて記憶させたユーザ設定量と、少なくとも他の通話方式で通話しているときに設定されたユーザ設定量とを比較し、その比較結果に基づいて前記オフセット量を調整する第２の手順とを実行させることを特徴とするプログラム。
【請求項４】
請求項３記載のプログラムにおいて、
前記第２の手順は、他の通話方式による通話を完了した直後に、前記第１の手順にて記憶させたユーザ設定量と、他の通話方式による通話を完了した直後に設定されたユーザ設定量とを比較し、その比較結果に基づいて前記オフセット量を調整することを特徴とするプログラム。
【発明の詳細な説明】
【０００１】
【発明の属する技術分野】
本発明は、互いに異なる通話方式による受話信号を増幅し、その増幅した受話信号を受話音声として出力するように構成された音声出力装置ならびに前記音声出力装置にて実行されるプログラムに関する。
【０００２】
【発明が解決しようとする課題】
従来より、例えば車室内でのハンズフリー通話を実現可能とするハンズフリー装置が供されており、ユーザは、携帯電話機をハンズフリー装置に接続することによって、運転中の安全性を確保した上で、通話することができる。また、近年では、無線通信技術の進歩に伴って、例えばＦＤＭＡ（Frequency Division Multiple Access：周波数分割多元接続）方式、ＴＤＭＡ（Time Division Multiple Access ：時分割多元接続）方式ならびにＣＤＭＡ（Code Division Multiple Access 符号分割多元接続）方式などの数多くの無線通信方式が実用化されるに至っている。
【０００３】
ところで、携帯電話機にあっては、広範なサービスエリアを確保することなどを目的として、互いに異なる複数の無線通信方式の無線回路を搭載し、互いに異なる複数の無線通信方式による無線通信を可能な機種が供されている。すなわち、例えばＦＤＭＡ無線回路ならびにＣＤＭＡ無線回路を搭載し、ＦＤＭＡ方式ならびにＣＤＭＡ方式による無線通信を可能な携帯電話機では、ＦＤＭＡ無線通信のみが可能なサービスエリアでは、ＦＤＭＡ方式による無線通信を行い、ＣＤＭＡ無線通信のみが可能なサービスエリアでは、ＣＤＭＡ方式による無線通信を行い、ＦＤＭＡ無線通信ならびにＣＤＭＡ無線通信の双方が可能なサービスエリアでは、いずれかの方式による無線通信を行うことによって、広範なサービスエリアを確保することができる。
【０００４】
しかしながら、このような互いに異なる複数の無線通信方式に対応する携帯電話機では、一の無線通信による受話信号の特性と、他の無線通信による受話信号の特性とが互いに異なる場合があることから、ハンズフリー装置に、この種の携帯電話機が接続された場合には、以下に示すような問題が発生する。すなわち、ハンズフリー装置に、例えばＦＤＭＡ方式ならびにＣＤＭＡ方式による無線通信を可能な携帯電話機が接続された場合に、携帯電話機にあって、ＦＤＭＡ無線通信による受話信号の特性と、ＣＤＭＡ無線通信による受話信号の特性とが互いに異なると、同一の通話相手であっても、携帯電話機がＦＤＭＡ方式で無線通信しているときにハンズフリー装置のスピーカから出力される受話音声の音量と、携帯電話機がＣＤＭＡ方式で無線通信しているときにハンズフリー装置のスピーカから出力される受話音声の音量とが互いに異なることになる。
【０００５】
そのため、このハンズフリー装置を搭載した自動車が例えばＦＤＭＡ無線通信のみが可能な地域からＣＤＭＡ無線通信のみが可能な地域に向かって走行したような場合には、ハンズフリー装置のスピーカから出力される受話音声の音量が変わってしまうことになる。そうなると、ユーザは、その都度、ボリュームスイッチを操作し、受話音声の音量を調整しなければならず、そのボリュームスイッチを操作する作業が煩雑であるという問題がある。
【０００６】
これに対しては、ＡＧＣ（Automatic Gain Control：自動利得制御）装置を搭載することによって、ハンズフリー装置のスピーカから出力される受話音声の音量を、無線通信方式に依らず、常に略一定にする技術があるが、これでは、ＡＧＣ装置という専用の装置が必要であるため、コストが高騰したり、装置が大型化したりするという問題がある。
【０００７】
本発明は、上記した事情に鑑みてなされたものであり、その目的は、ユーザが受話音声の音量を調整する作業を軽減することができ、それによって、使い勝手を高めることができる音声出力装置ならびにプログラムを提供することにある。
【０００８】
【課題を解決するための手段】
請求項１に記載した音声出力装置によれば、一の通話方式による通話を開始すると、増幅手段は、一の通話方式による受話信号を少なくともユーザが設定したユーザ設定量に基づいた利得にしたがって増幅し、一の通話方式による通話を完了すると、記憶手段は、一の通話方式による通話を完了した直後に設定されているユーザ設定量を記憶する。そして、他の通話方式による通話を開始すると、増幅手段は、他の通話方式による受話信号を少なくともユーザが設定したユーザ設定量とオフセット量とに基づいた利得にしたがって増幅し、オフセット量調整手段は、少なくとも他の通話方式による通話を開始した以降に、これよりも先に記憶手段が記憶しているユーザ設定量、つまり、一の通話方式による通話を完了した直後に設定されていたユーザ設定量と、他の通話方式で通話しているときに設定されたユーザ設定量とを比較し、その比較結果に基づいてオフセット量を調整する。
【０００９】
したがって、一の通話方式による通話から他の通話方式による通話に切替わったときに、ユーザが受話音声の音量が例えば相対的に大きくなったと感じ、ユーザがユーザ設定量を受話音声の音量が相対的に小さくなるように設定すると、少なくとも他の通話方式による通話を開始した以降では、ユーザ設定量が相対的に小さく設定されたことに応じて、オフセット量を相対的に小さく調整することによって、これ以降、次に、一の通話方式による通話から他の通話方式による通話に切替わったときには、既にオフセット量が相対的に小さく調整されていることから、ユーザが設定すべきユーザ設定量の変更量を前回に比べて小さくすることができる。これによって、ユーザがユーザ設定量を設定するための設定手段が例えば回動式のものであれば、回動角度を前回に比べて小さくすることができ、また、例えば押圧式のものであれば、押圧回数を前回に比べて少なくすることができるなど、ユーザが受話音声の音量を調整する作業を軽減することができ、使い勝手を高めることができる。
【００１０】
また、これとは反対に、一の通話方式による通話から他の通話方式による通話に切替わったときに、ユーザが受話音声の音量が例えば相対的に小さくなったと感じ、ユーザがユーザ設定量を受話音声の音量が相対的に大きくなるように設定した場合も、これと同様であり、他の通話方式による通話を開始した以降では、ユーザ設定量が相対的に大きく設定されたことに応じて、オフセット量を相対的に大きく調整することによって、これ以降、次に、一の通話方式による通話から他の通話方式による通話に切替わったときには、既にオフセット量が相対的に大きく調整されていることから、この場合にも、ユーザが設定すべきユーザ設定量の変更量を前回に比べて小さくすることができる。
【００１１】
請求項２に記載した音声出力装置によれば、オフセット量調整手段は、他の通話方式による通話を完了した直後に、これよりも先に記憶手段が記憶しているユーザ設定量、つまり、一の通話方式による通話を完了した直後に設定されていたユーザ設定量と、他の通話方式による通話を完了した直後に設定されているユーザ設定量とを比較し、その比較結果に基づいてオフセット量を調整する。
【００１２】
したがって、少なくとも他の通話方式による通話を開始した以降に、他の通話方式で通話しているときに設定されたユーザ設定量を比較し、オフセット量を調整するのではなく、他の通話方式による通話を完了した直後に、他の通話方式による通話を完了した直後に設定されているユーザ設定量を比較し、オフセット量を調整することによって、例えばユーザが他の通話方式で通話しているときに、ユーザ設定量を何回も設定し直すような場合であっても、確実に最終的に設定されたユーザ設定量を用いてオフセット量を調整することができ、これによって、信頼性を高めることができる。
【００１３】
請求項３に記載したプログラムによれば、そのプログラムを、ユーザがユーザ設定量を設定するための設定手段と、一の通話方式による受話信号を少なくともユーザ設定量に基づいた利得にしたがって増幅すると共に、他の通話方式による受話信号を少なくともユーザ設定量とオフセット量とに基づいた利得にしたがって増幅する増幅手段とを備えた音声出力装置にインストールして実行すると、第１の手順では、一の通話方式による通話を完了した直後に設定されているユーザ設定量を記憶させ、そして、第２の手順では、少なくとも他の通話方式による通話を開始した以降に、第１の手順にて記憶させているユーザ設定量、つまり、一の通話方式による通話を完了した直後に設定されていたユーザ設定量と、少なくとも他の通話方式で通話しているときに設定されたユーザ設定量とを比較し、その比較結果に基づいてオフセット量を調整するようになる。
【００１４】
したがって、上記した請求項１に記載したものと同様の作用効果を得ることができ、すなわち、次に、一の通話方式による通話から他の通話方式による通話に切替わったときには、既にオフセット量が的確に調整されていることから、ユーザが設定すべきユーザ設定量の変更量を前回に比べて小さくすることができ、これによって、ユーザが受話音声の音量を調整する作業を軽減することができ、使い勝手を高めることができる。
【００１５】
請求項４に記載したプログラムによれば、第２の手順では、他の通話方式による通話を完了した直後に、第１の手順にて記憶させているユーザ設定量、つまり、一の通話方式による通話を完了した直後に設定されていたユーザ設定量と、他の通話方式による通話を完了した直後に設定されているユーザ設定量とを比較し、その比較結果に基づいてオフセット量を調整するようになる。
【００１６】
したがって、上記した請求項２に記載したものと同様の作用効果を得ることができ、すなわち、例えばユーザが他の通話方式で通話しているときに、ユーザ設定量を何回も設定し直すような場合であっても、確実に最終的に設定されたユーザ設定量を用いてオフセット量を調整することができ、これによって、信頼性を高めることができる。
【００１７】
【発明の実施の形態】
（第１の実施の形態）
以下、本発明を車室内に搭載される車載ハンズフリー装置に適用した第１実施例について、図１ないし図４を参照して説明する。
まず、図２は、車載ハンズフリー装置ならびに車載ハンズフリー装置に接続される携帯電話機の構成を機能ブロック図として示している。携帯電話機１は、ＦＤＭＡ（Frequency Division Multiple Access：周波数分割多元接続）無線通信ならびにＣＤＭＡ（Code Division Multiple Access 符号分割多元接続）無線通信を可能に構成されており、マイクロコンピュータを主体としてなるＣＰＵ２  （Central Processing Unit ）に、ＦＤＭＡ無線通信に係る処理を行うＦＤＭＡ無線回路３、ＣＤＭＡ無線通信に係る処理を行うＣＤＭＡ無線回路４、「通話開始」キー、「通話終了」キー、「リダイヤル」キー、「０」〜「９」の「数字」キーなどの多数のキーを配列してなるキーパッド５、各種の表示情報を表示するディスプレイ６、着信したときなどに点滅するＬＥＤ（Light Emitting Diode）７ならびにハンズフリー装置接続検出回路８を接続すると共に、受話音声を出力するスピーカ９を受話音声切替回路１０を介して接続し、また、送話音声を入力するマイクロホン１１を送話音声切替回路１２を介して接続して構成されている。
【００１８】
ハンズフリー装置接続検出回路８は、詳しくは後述するハンズフリー装置１３を接続した所定の接続ケーブルが外部接続端子（図示せず）に接続され、携帯電話機１がハンズフリー装置１３に接続されたことを検出すると、接続検出信号をＣＰＵ２に出力する。ＣＰＵ２は、ハンズフリー装置接続検出回路８から接続検出信号を入力すると、受話音声切替信号を受話音声切替回路１０に出力し、受話音声切替回路１０にて、可動接点１０ａと固定接点１０ｂとを接続する接続状態から可動接点１０ａと固定接点１０ｃとを接続する接続状態に切替え、ＦＤＭＡ無線回路３或いはＣＤＭＡ無線回路４が受信した受信電波から抽出された受話信号をハンズフリー装置１３に出力させると共に、送話音声切替信号を送話音声切替回路１２に出力し、送話音声切替回路１２にて、可動接点１２ａと固定接点１２ｂとを接続する接続状態から可動接点１２ａと固定接点１２ｃとを接続する接続状態に切替え、ハンズフリー装置１３から送話信号を入力させる。
【００１９】
また、ＣＰＵ２は、ＦＤＭＡ無線回路３或いはＣＤＭＡ無線回路４のうちのいずれの無線回路を用いて無線通信を行っているか、つまり、携帯電話機１がＦＤＭＡ無線通信或いはＣＤＭＡ無線通信のうちのいずれの無線通信を行っているかを示す無線通信方式識別信号をハンズフリー装置１３に出力する。
【００２０】
ハンズフリー装置１３において、ボリュームスイッチ１４（本発明でいう設定手段）は、ユーザがスピーカ１５から出力される受話音声の音量を調整するためのもので、ユーザが操作すると、そのユーザの操作に応じた操作信号をＣＰＵ１６（本発明でいうオフセット量調整手段）に出力する。ＣＰＵ１６は、マイクロコンピュータを主体として構成されており、ボリュームスイッチ１４から操作信号を入力すると、その入力した操作信号により示されるユーザ調整量を認識し、その認識したユーザ調整量をメモリ１７（本発明でいう記憶手段）に一時的に記憶させる。
【００２１】
また、ＣＰＵ１６は、上記した携帯電話機１から無線通信方式識別信号を入力すると、その入力した無線通信方式識別信号に基づいて、携帯電話機１がＦＤＭＡ無線通信或いはＣＤＭＡ無線通信のうちのいずれの無線通信を行っているかを認識し、受話増幅器１８（本発明でいう増幅手段）の利得を計算する。具体的に説明すると、ＣＰＵ１６は、携帯電話機１がＦＤＭＡ無線通信を行っていることを認識したときには、ＦＤＭＡ無線通信による利得をＧf とすると、
利得Ｇf ＝基本増幅量＋ユーザ調整量
の計算式にしたがって利得Ｇf を計算し、これに対して、携帯電話機１がＣＤＭＡ無線通信を行っていることを認識したときには、ＣＤＭＡ無線通信による利得をＧc とすると、
利得Ｇc ＝基本増幅量＋ユーザ調整量＋オフセット量
の計算式にしたがって利得Ｇc を計算し、それらの計算結果を受話増幅器１８に出力する。すなわち、本実施例では、ＦＤＭＡ無線通信方式が本発明でいう一の通話方式に相当し、ＣＤＭＡ無線通信方式が本発明でいう他の通話方式に相当すする。
【００２２】
受話増幅器１８は、携帯電話機１から受話信号を入力すると、その入力した受話信号を、ＣＰＵ１６から入力した計算結果により示される利得にしたがって増幅し、その増幅した受話信号をスピーカ１５に出力する。そして、スピーカ１５は、受話増幅器１８から受話信号を入力すると、その入力した受話信号を電気信号から音信号に変換し、受話音声として出力する。
【００２３】
また、マイクロホン１９は、送話音声を入力すると、その入力した送話音声を音信号から電気信号に変換し、送話信号を送話増幅器２０に出力し、送話増幅器２０は、マイクロホン１９から送話信号を入力すると、その入力した送話信号を所定の利得にしたがって増幅し、その増幅した送話信号を携帯電話機１に出力する。
【００２４】
次に、上記した構成の作用について、図１、図３ならびに図４も参照して説明する。ここで、図１は、ハンズフリー装置１３において、ＣＰＵ１６が実行するプログラムの手順のうちの本発明に係る手順をフローチャートとして示している。さて、以下の説明においては、図３ならびに図４に示すように、ＦＤＭＡ無線通信のサービスエリアＺ１，Ｚ３ならびにＣＤＭＡ無線通信のサービスエリアＺ２，Ｚ４が図示のように構築されており、ハンズフリー装置１３ならびに携帯電話機１を搭載した自動車２１が走行経路Ｐにしたがって走行する場合を一例として説明する。また、ここでは、利得のパラメータである基本増幅量の初期値が例えば「８ｄＢ」、ユーザ調整量の初期値が例えば「８ｄＢ」ならびにオフセット量の初期値が例えば「８ｄＢ」であると仮定する。
【００２５】
（１）自動車２１がＦＤＭＡ無線通信のサービスエリアＺ１を走行しているときまず、自動車２１がＦＤＭＡ無線通信のサービスエリアＺ１を走行しているときを説明する。ユーザがサービスエリアＺ１内の図３中Ａ地点にて例えば発信操作を行い、通話相手との間で通話回線を確立したと仮定する。このとき、ユーザは、ＦＤＭＡ無線通信による通話を開始することになり、ハンズフリー装置１３において、ＣＰＵ１６は、携帯電話機１から入力した無線通信方式識別信号に基づいて、携帯電話機１がＦＤＭＡ無線通信を行っていることを認識し、受話増幅器１８におけるＦＤＭＡ無線通信による利得Ｇf を計算する。ここでは、ＣＰＵ１６は、利得Ｇf を、基本増幅量の初期値が「８ｄＢ」であり、ユーザ調整量の初期値が「８ｄＢ」であることから、
利得Ｇf ＝基本増幅量＋ユーザ調整量
＝８＋８
＝１６（ｄＢ）
と計算する（図３中Ｔａｂ１参照）。そして、受話増幅器１８は、携帯電話機１から入力したＦＤＭＡ無線通信による受話信号を、ＣＰＵ１６が計算した「１６ｄＢ」の利得にしたがって増幅し、スピーカ１５は、受話増幅器１８から入力した受話信号を受話音声として出力する。
【００２６】
（２）自動車２１がＣＤＭＡ無線通信のサービスエリアＺ２（サービスエリアＺ１と重複する区域を含む）を走行しているとき
次に、自動車２１がＣＤＭＡ無線通信のサービスエリアＺ２を走行しているときを説明する。携帯電話機１において、ＣＰＵ２は、例えば受信電波の受信感度を判定し、自動車２１がサービスエリアＺ１からサービスエリアＺ２に向かって走行することに応じて、ＦＤＭＡ無線通信による受信電波の受信感度が相対的に減少し、且つ、ＣＤＭＡ無線通信による受信電波の受信感度が相対的に増大する傾向にあることを認識すると、所定のタイミングで、ＦＤＭＡ無線通信からＣＤＭＡ無線通信に切替える。
【００２７】
ハンズフリー装置１３において、ＣＰＵ１６は、例えば図３中Ｂ地点にて、携帯電話機１から入力した無線通信方式識別信号に基づいて、携帯電話機１がＦＤＭＡ無線通信からＣＤＭＡ無線通信に切替えたことを認識すると、受話増幅器１８におけるＣＤＭＡ無線通信による利得Ｇc を計算する。ここでは、ＣＰＵ１６は、利得Ｇc を、オフセット量の初期値が「８ｄＢ」であることから、
利得Ｇc ＝基本増幅量＋ユーザ調整量＋オフセット量
＝８＋８＋８
＝２４（ｄＢ）
と計算する（図３中Ｔａｂ２参照）。そして、受話増幅器１８は、携帯電話機１から入力したＣＤＭＡ無線通信による受話信号を、ＣＰＵ１６が計算した「２４ｄＢ」の利得にしたがって増幅し、スピーカ１５は、受話増幅器１８から入力した受話信号を受話音声として出力する。
【００２８】
また、このとき、ＣＰＵ１６は、図３中Ｂ地点にて、携帯電話機１のＦＤＭＡ無線通信による通話が完了したことを認識すると、ステップＳ１において「ＹＥＳ」と判定し、その時点、つまり、ＦＤＭＡ無線通信による通話が完了した直後のユーザ設定量をメモリ１７に記憶させる（ステップＳ２、本発明でいう第１の手順を実行する）。ここでは、ＣＰＵ１６は、ＦＤＭＡ無線通信による通話が完了した直後のユーザ設定量として「８ｄＢ」をメモリ１７に記憶させる。
【００２９】
さて、ここで、ＦＤＭＡ無線通信からＣＤＭＡ無線通信に切替わったことに応じて、ＦＤＭＡ無線通信による受話信号の特性と、ＣＤＭＡ無線通信による受話信号の特性とが異なると仮定し、ユーザがスピーカ１５から出力される受話音声の音量が例えば相対的に大きくなったと感じ、ユーザが受話音声の音量が相対的に小さくなるようにボリュームスイッチ１４を操作したと仮定する。
【００３０】
ＣＰＵ１６は、ユーザがボリュームスイッチ１４を操作したことに応じて、ボリュームスイッチ１４から操作信号を入力し、その入力した操作信号により示されるユーザ調整量として例えば「２ｄＢ」を認識すると、受話増幅器１８におけるＣＤＭＡ無線通信による利得Ｇc を、ユーザ調整量が「８ｄＢ」から「２ｄＢ」に変更されたことから、
利得Ｇc ＝基本増幅量＋ユーザ調整量＋オフセット量
＝８＋２＋８
＝１８（ｄＢ）
と計算する（図３中Ｔａｂ３参照）。そして、受話増幅器１８は、携帯電話機１から入力したＣＤＭＡ無線通信による受話信号を、ＣＰＵ１６が計算した「１８ｄＢ」の利得にしたがって増幅し、スピーカ１５は、受話増幅器１８から入力した受話信号を受話音声として出力する。
【００３１】
（３）自動車２１がＦＤＭＡ無線通信のサービスエリアＺ３（サービスエリアＺ２と重複する区域を含む）を走行しているとき
次に、自動車２１がＦＤＭＡ無線通信のサービスエリアＺ３を走行しているときを説明する。携帯電話機１において、ＣＰＵ２は、自動車２１がサービスエリアＺ２からサービスエリアＺ３に向かって走行することに応じて、ＣＤＭＡ無線通信による受信電波の受信感度が相対的に減少し、且つ、ＦＤＭＡ無線通信による受信電波の受信感度が相対的に増大する傾向にあることを認識すると、所定のタイミングで、ＣＤＭＡ無線通信からＦＤＭＡ無線通信に切替える。
【００３２】
ハンズフリー装置１３において、ＣＰＵ１６は、例えば図３中Ｃ地点にて、携帯電話機１から入力した無線通信方式識別信号に基づいて、携帯電話機１がＣＤＭＡ無線通信からＦＤＭＡ無線通信に切替えたことを認識すると、受話増幅器１８におけるＦＤＭＡ無線通信による利得Ｇf を計算する。ここでは、ＣＰＵ１６は、利得Ｇf を、先に説明したように、ユーザ設定量が「８ｄＢ」から「２ｄＢ」に変更されたことから、
利得Ｇf ＝基本増幅量＋ユーザ調整量
＝８＋２
＝１０（ｄＢ）
と計算する（図３中Ｔａｂ４参照）。そして、受話増幅器１８は、携帯電話機１から入力したＦＤＭＡ無線通信による受話信号を、ＣＰＵ１６が計算した「１０ｄＢ」の利得にしたがって増幅し、スピーカ１５は、受話増幅器１８から入力した受話信号を受話音声として出力する。
【００３３】
また、このとき、ＣＰＵ１６は、図３中Ｃ地点にて、ＣＤＭＡ無線通信による通話が完了したことを認識すると、ステップＳ３において「ＹＥＳ」と判定し、先にメモリ１７に記憶させたユーザ設定量、つまり、ＦＤＭＡ無線通信による通話が完了した直後のユーザ設定量と、その時点、つまり、ＣＤＭＡ無線通信による通話が完了した直後のユーザ設定量とを比較する（ステップＳ４，Ｓ５）。
【００３４】
さて、ＣＰＵ１６は、ここでは、ＦＤＭＡ無線通信による通話が完了した直後のユーザ設定量が「８ｄＢ」であり、ＣＤＭＡ無線通信による通話が完了した直後のユーザ設定量が「２ｄＢ」であるので、ステップＳ４において「ＹＥＳ」と判定し、オフセット量を減少させる（ステップＳ６、本発明でいう第２の手順を実行する）。具体的には、ＣＰＵ１６は、オフセット量を「８ｄＢ」から例えば「５ｄＢ」に減少させる。
【００３５】
また、ここでは、受話増幅器１８におけるＦＤＭＡ無線通信による利得Ｇf が「１０ｄＢ」であり、先に説明した自動車２１がサービスエリアＺ１を走行しているときの利得Ｇf である「１６ｄＢ」よりも減少しているので、ユーザは、スピーカ１５から出力される受話音声の音量が相対的に小さくなったと感じ、受話音声の音量が相対的に大きくなるようにボリュームスイッチ１４を操作する。
【００３６】
ＣＰＵ１６は、ユーザがボリュームスイッチ１４を操作したことに応じて、ボリュームスイッチ１４から操作信号を入力し、その入力した操作信号により示されるユーザ調整量が例えば元々の「８ｄＢ」であると認識すると、受話増幅器１８におけるＦＤＭＡ無線通信による利得Ｇf を、ユーザ調整量が「２ｄＢ」から元々の「８ｄＢ」に変更されたことから、
利得Ｇf ＝基本増幅量＋ユーザ調整量
＝８＋８
＝１６（ｄＢ）
と計算する（図３中Ｔａｂ５参照）。そして、受話増幅器１８は、携帯電話機１から入力したＦＤＭＡ無線通信による受話信号を、ＣＰＵ１６が計算した「１６ｄＢ」の利得にしたがって増幅し、スピーカ１５は、受話増幅器１８から入力した受話信号を受話音声として出力する。
【００３７】
（４）自動車２１がＣＤＭＡ無線通信のサービスエリアＺ４（サービスエリアＺ３と重複する区域を含む）を走行しているとき
最後に、自動車２１がＣＤＭＡ無線通信のサービスエリアＺ４を走行しているときを説明する。携帯電話機１において、ＣＰＵ２は、自動車２１がサービスエリアＺ３からサービスエリアＺ４に向かって走行することに応じて、ＦＤＭＡ無線通信による受信電波の受信感度が相対的に減少し、且つ、ＣＤＭＡ無線通信による受信電波の受信感度が相対的に増大する傾向にあることを認識すると、所定のタイミングで、ＦＤＭＡ無線通信からＣＤＭＡ無線通信に切替える。
【００３８】
ハンズフリー装置１３において、ＣＰＵ１６は、例えば図３中Ｄ地点にて、携帯電話機１から入力した無線通信方式識別信号に基づいて、携帯電話機１がＦＤＭＡ無線通信からＣＤＭＡ無線通信に切替えたことを認識すると、受話増幅器１８におけるＣＤＭＡ無線通信による利得Ｇc を計算する。ここでは、ＣＰＵ１６は、利得Ｇc を、先に説明したように、オフセット量が「８ｄＢ」から「５ｄＢ」に変更されたことから、
利得Ｇc ＝基本増幅量＋ユーザ調整量＋オフセット量
＝８＋８＋５
＝２１（ｄＢ）
と計算する（図３中Ｔａｂ６参照）。そして、受話増幅器１８は、携帯電話機１から入力したＣＤＭＡ無線通信による受話信号を、ＣＰＵ１６が計算した「２１ｄＢ」の利得にしたがって増幅し、スピーカ１５は、受話増幅器１８から入力した受話信号を受話音声として出力する。
【００３９】
また、このときも、ＣＰＵ１６は、図３中Ｃ地点にて、ＦＤＭＡ無線通信による通話が完了したことを認識すると、ステップＳ１において「ＹＥＳ」と判定し、その時点、つまり、ＦＤＭＡ無線通信による通話が完了した直後のユーザ設定量をメモリ１７に記憶させる（ステップＳ２）。
【００４０】
さて、ここでも、ＦＤＭＡ無線通信からＣＤＭＡ無線通信に切替わったことに応じて、ユーザがスピーカ１５から出力される受話音声の音量が例えば相対的に大きくなったと感じ、ユーザが受話音声の音量が相対的に小さくなるようにボリュームスイッチ１４を操作すると仮定する。
【００４１】
この場合、ユーザは、受話音声の音量が相対的に小さくなるようにボリュームスイッチ１４を操作することになるが、しかしながら、ここでは、受話増幅器１８におけるＣＤＭＡ無線通信による利得Ｇc が「２１ｄＢ」であり、先に説明した自動車２１がサービスエリアＺ２を走行しているときの最初の利得Ｇc である「２４ｄＢ」よりも小さくなっていることから、所望とする利得Ｇc 、つまり、先に説明した自動車２１がサービスエリアＺ２を走行しているときの最終的な利得Ｇc である「１８ｄＢ」まで変更するのに要する変更量は、先に説明した自動車２１がサービスエリアＺ２を走行しているときに要した変更量よりも、小さいものである。
【００４２】
すなわち、ユーザは、利得Ｇc が「２４ｄＢ」から「１８ｄＢ」となるように、ボリュームスイッチ１４を「６ｄＢ」に相当する分を減少させる操作を行う必要はなく、利得Ｇc が「２１ｄＢ」から「１８ｄＢ」となるように、ボリュームスイッチ１４を「３ｄＢ」に相当する分を減少させる操作を行えば良い。このように、ユーザが設定すべきユーザ設定量の変更量は、前回に比べて小さくて済み、ボリュームスイッチ１４が例えば回動式のものであれば、回動角度が前回に比べて小さくて済むことになり、また、例えば押圧式のものであれば、押圧回数が前回に比べて少なくて済むことになる。
【００４３】
そして、ＣＰＵ１６は、ユーザがボリュームスイッチ１４を操作したことに応じて、ボリュームスイッチ１４から操作信号を入力し、その入力した操作信号により示されるユーザ調整量として例えば「５ｄＢ」を認識すると、受話増幅器１８におけるＣＤＭＡ無線通信による利得Ｇc を、ユーザ調整量が「８ｄＢ」から「５ｄＢ」に変更されたことから、
利得Ｇc ＝基本増幅量＋ユーザ調整量＋オフセット量
＝８＋５＋５
＝１８（ｄＢ）
と計算する（図３中Ｔａｂ７参照）。そして、受話増幅器１８は、携帯電話機１から入力したＣＤＭＡ無線通信による受話信号を、ＣＰＵ１６が計算した「１８ｄＢ」の利得にしたがって増幅し、スピーカ１５は、受話増幅器１８から入力した受話信号を受話音声として出力する。
【００４４】
ところで、以上は、オフセット量を「８ｄＢ」から例えば「５ｄＢ」に減少させた場合を説明したものであるが、同一の条件で、図４に示すように、オフセット量を「８ｄＢ」から「２ｄＢ」に減少させ、つまり、ユーザ調整量の変更量に相当する分を減少させるようにすれば、自動車２１がサービスエリアＺ４を走行し、携帯電話機１がＦＤＭＡ無線通信からＣＤＭＡ無線通信に切替えた直後に、ユーザが所望とする利得Ｇc である「１８ｄＢ」となることから、ユーザがボリュームスイッチ１４を操作することを不要とすることができる。
【００４５】
また、以上は、ＦＤＭＡ無線通信からＣＤＭＡ無線通信に切替わったことに応じて、ユーザがスピーカ１５から出力される受話音声の音量が例えば相対的に大きくなったと感じ、ユーザが受話音声の音量が相対的に小さくなるようにボリュームスイッチ１４を操作した場合を説明したものであるが、ユーザがスピーカ１５から出力される受話音声の音量が例えば相対的に小さくなったと感じ、ユーザが受話音声の音量が相対的に大きくなるようにボリュームスイッチ１４を操作した場合も、これと同様の処理を行うものであり、この場合は、ＣＰＵ１６は、ＦＤＭＡ無線通信による通話が完了した直後のユーザ設定量よりも、ＣＤＭＡ無線通信による通話が完了した直後のユーザ設定量が相対的に大きくなるので、ステップＳ５において「ＹＥＳ」と判定し、オフセット量を増大させることになる  （ステップＳ７）。
【００４６】
また、携帯電話機が例えばＦＤＭＡ無線通信、ＣＤＭＡ無線通信ならびにＴＤＭＡ（Time Division Multiple Access ：時分割多元接続）無線通信の３種類の無線通信方式に対応可能な場合であっても、ＦＤＭＡ無線通信による利得をＧf とすると、
利得Ｇf ＝基本増幅量＋ユーザ調整量
の計算式にしたがって利得Ｇf を計算し、また、ＣＤＭＡ無線通信による利得をＧc とすると、
利得Ｇc ＝基本増幅量＋ユーザ調整量＋第１のオフセット量
の計算式にしたがって利得Ｇc を計算し、さらに、ＴＤＭＡ無線通信による利得をＧt とすると、
利得Ｇt ＝基本増幅量＋ユーザ調整量＋第２のオフセット量
の計算式にしたがって利得Ｇt を計算するように構成することによって、上記したものと同様の処理を行うことができる。
【００４７】
以上に説明したように第１実施例によれば、ハンズフリー装置１３において、携帯電話機１がＦＤＭＡ無線通信による通話を完了した直後に、携帯電話機１がＦＤＭＡ無線通信による通話を完了した直後に設定されているユーザ設定量を記憶し、そして、携帯電話機１がＣＤＭＡ無線通信による通話を完了した直後に、携帯電話機１がＦＤＭＡ無線通信による通話を完了した直後に設定されているユーザ設定量と、携帯電話機１がＣＤＭＡ無線通信による通話を完了した直後に設定されているユーザ設定量とを比較し、オフセット量を調整するように構成した。
【００４８】
したがって、ＦＤＭＡ無線通信による通話からＣＤＭＡ無線通信による通話に切替わったときに、ユーザが受話音声の音量が例えば相対的に大きくなったと感じ、ユーザがユーザ設定量を受話音声の音量が相対的に小さくなるように設定すると、ユーザ設定量が相対的に小さく設定されたことに応じて、オフセット量を相対的に小さく調整することによって、これ以降、次に、ＦＤＭＡ無線通信による通話からＣＤＭＡ無線通信による通話に切替わったときには、既にオフセット量が相対的に小さく調整されていることから、ユーザが設定すべきユーザ設定量の変更量を前回に比べて小さくすることができる。これによって、ユーザがユーザ設定量を設定するためのボリュームスイッチ１４が例えば回動式のものであれば、回動角度を前回に比べて小さくすることができ、また、例えば押圧式のものであれば、押圧回数を前回に比べて少なくすることができるなど、ユーザが受話音声の音量を調整する作業を軽減することができ、使い勝手を高めることができる。
【００４９】
また、このときは、ＣＤＭＡ無線通信による通話を完了した直後に、携帯電話機１がＦＤＭＡ無線通信による通話を完了した直後に設定されているユーザ設定量と、携帯電話機１がＣＤＭＡ無線通信による通話を完了した直後に設定されているユーザ設定量とを比較し、オフセット量を調整するように構成したので、例えばユーザがＣＤＭＡ無線通信で通話しているときに、ユーザ設定量を何回も設定し直すような場合であっても、確実に最終的に設定されたユーザ設定量を用いてオフセット量を調整することができ、これによって、信頼性を高めることができる。
【００５０】
（第２の実施の形態）
次に、本発明の第２実施例について、図５を参照して説明する。尚、上記した第１実施例と同一部分には同一符号を付して説明を省略し、以下、異なる部分について説明する。
上記した第１実施例は、ハンズフリー装置１３に、ＦＤＭＡ無線通信ならびにＣＤＭＡ無線通信の複数の無線通信方式に対応可能な携帯電話機１が接続され、携帯電話機１がＦＤＭＡ無線通信による通話とＣＤＭＡ無線通信による通話とを切替えることに応じて、ハンズフリー装置１３がオフセット量を調整するように構成したものであるが、これに対して、この第２実施例は、ハンズフリー装置に、ＦＤＭＡ無線通信のみを可能なＦＤＭＡ専用の携帯電話機と、ＣＤＭＡ無線通信のみを可能なＣＤＭＡ専用の携帯電話機とが切替えられて接続されることに応じて、ハンズフリー装置がオフセット量を調整するように構成したものである。
【００５１】
すなわち、ハンズフリー装置３１において、ＣＰＵ３２（本発明でいうオフセット調整手段）は、ＦＤＭＡ専用のＦＤＭＡ携帯電話機３３或いはＣＤＭＡ専用のＣＤＭＡ携帯電話機３４のいずれかの携帯電話機から端末識別信号を入力すると、その入力した端末識別信号に基づいて、自己に接続されている携帯電話機の種別を認識する。
【００５２】
そして、ＣＰＵ３２は、ハンズフリー装置３１にＦＤＭＡ携帯電話機３３が接続されているときには、ＦＤＭＡ携帯電話機３３による通話が完了したことを検出すると、ＦＤＭＡ携帯電話機３３による通話を完了した直後に設定されているユーザ設定量をメモリ１７に記憶させ、そして、ハンズフリー装置３１にＣＤＭＡ携帯電話機３４が接続されているときには、ＣＤＭＡ携帯電話機３４による通話が完了したことを検出すると、ＦＤＭＡ携帯電話機３３による通話を完了した直後に設定されていたユーザ設定量と、ＣＤＭＡ携帯電話機３４による通話を完了した直後に設定されているユーザ設定量とを比較し、これ以降、上記した第１実施例に記載したものと同様にして、オフセット量を調整する。
【００５３】
以上に説明したように第２実施例によれば、ハンズフリー装置３１において、ＦＤＭＡ携帯電話機３３が接続されているときには、ＦＤＭＡ携帯電話機３３による通話を完了した直後に、ＦＤＭＡ携帯電話機３３による通話を完了した直後に設定されているユーザ設定量を記憶し、そして、ＣＤＭＡ携帯電話機３４が接続されているときには、ＣＤＭＡ携帯電話機３４による通話を完了した直後に、ＦＤＭＡ携帯電話機３３による通話を完了した直後に設定されているユーザ設定量と、ＣＤＭＡ携帯電話機３４による通話を完了した直後に設定されているユーザ設定量とを比較し、オフセット量を調整するように構成した。
【００５４】
したがって、ＦＤＭＡ携帯電話機３３による通話からＣＤＭＡ携帯電話機３４による通話に切替わったときに、ユーザが受話音声の音量が例えば相対的に大きくなったと感じ、ユーザがユーザ設定量を受話音声の音量が相対的に小さくなるように設定すると、ユーザ設定量が相対的に小さく設定されたことに応じて、オフセット量を相対的に小さく調整することによって、これ以降、次に、ＦＤＭＡ携帯電話機３３による通話からＣＤＭＡ携帯電話機３４による通話に切替わったときには、既にオフセット量が相対的に小さく調整されていることから、ユーザが設定すべきユーザ設定量の変更量を前回に比べて小さくすることができ、上記した第１実施例と同様の作用効果を得ることができる。
【００５５】
（その他の実施の形態）
本発明は、上記した実施例にのみ限定されるものでなく、次のように変形または拡張することができる。
ハンズフリー装置に適用することに限らず、例えばＦＤＭＡ無線通信ならびにＣＤＭＡ無線通信の複数の無線通信方式に対応可能な携帯電話機など、互いに異なる無線通信方式による受話信号を増幅する構成のものであれば、他の機器に適用しても良い。
【００５６】
複数の無線通信方式の種別としては、アナログ方式とデジタル方式との相違による種別であっても良く、また、ＰＤＣ（Personal Digital Cellular ）方式、ＰＨＳ（Personal Handyphone System）方式、ＡＭＰＳ（American Mobile Phone System）方式或いはＧＳＭ（Global System for Mobile communicationns）方式などが含まれていても良い。
【００５７】
利得のパラメータである基本増幅量、ユーザ調整量ならびにオフセット量の初期値は、他の値であっても良い。
ハンズフリー装置が実行するプログラムは、最初（例えば製品化の段階）からハンズフリー装置に記憶されているものに限らず、ハンズフリー装置に携帯電話機が接続され、例えば特定のサーバからネットワークを通じて携帯電話機にダウンロードされて携帯電話機から転送されたり或いはＣＤ−ＲＯＭやカードなどの記憶媒体から携帯電話機を通じて転送され、インストールされるものであっても良い。
【図面の簡単な説明】
【図１】本発明の第１実施例を示すフローチャート
【図２】機能ブロック図
【図３】利得の推移を示す図
【図４】図３相当図
【図５】本発明の第２実施例を示す機能ブロック図
【符号の説明】
図面中、１３はハンズフリー装置（音声出力装置）、１４はボリュームスイッチ（設定手段）、１６はＣＰＵ（オフセット量調整手段）、１７はメモリ（記憶手段）、１８は受話増幅器（増幅手段）、３１はハンズフリー装置（音声出力装置）、３２はＣＰＵ（オフセット量調整手段）である。
【図１】
0004320975.tif 000002
【図２】
0004320975.tif 000003
【図３】
0004320975.tif 000004
【図４】
0004320975.tif 000005
【図５】
0004320975.tif 000006